(57)【要約】【課題】送電線を把持した楔形引留クランプを鉄塔に引き留めるための、作業性、安全性、及び保全性に富んだ楔形引留クランプ取付け緊線金具を提供する。【解決手段】一対の板状の緊線金具本体１０の一端側は、湾曲部１１をそれぞれ有し、先端部１２は、片側が開放されたＵ字形の穴１３をそれぞれ有し、Ｕ字形の穴１３に通された第１のボルト１４の頭部１５はＵ字形の穴１３の部分に溶接され、ナット１７が捩じ込まれたねじの先端部はカシメ部１８を有し、本体１０の他端側の先端部は、ボルト貫通穴１９をそれぞれ有し、ボルト貫通穴１９に第２のボルト２０が通され、ナット２１が捩じ込まれた第２のボルト２０のねじの先端部が有するピン孔２２には、ナット脱落防止ピン２３が挿入され、Ｕ字形の穴１３とボルト貫通穴１９とに挟まれる本体の板状の表面は、保護部材２４で覆われている。【選択図】      図１
2014054140.tif 000002
【特許請求の範囲】
【請求項１】
送電線を把持した楔形引留クランプを鉄塔に引き留めるための楔形引留クランプ取付け緊線金具であって、
一対の板状の緊線金具本体の一端側は、湾曲部をそれぞれ有して前記湾曲部の先端部は互いに近接し、
前記先端部は、片側が開放されたＵ字形の穴をそれぞれ有し、
前記Ｕ字形の穴には第１のボルトが通され、前記第１のボルトの頭部は一方の前記Ｕ字形の穴の部分に溶接され、他方の前記Ｕ字形の穴の部分の前記第１のボルトにナットが捩じ込まれ、前記第１のボルトのねじの先端部はカシメられたカシメ部を有し、
前記本体の他端側の先端部は、ボルト貫通穴をそれぞれ有し、
前記ボルト貫通穴に第２のボルトが通され、前記第２ボルトにナットが捩じ込まれ、前記ナットが捩じ込まれた前記第２のボルトのねじの先端部が有するピン孔には、ナット脱落防止ピンが挿入され、
前記Ｕ字形の穴と前記ボルト貫通穴とに挟まれる前記本体の板状の表面は、保護部材で覆われていることを特徴とする楔形引留クランプ取付け緊線金具。
【発明の詳細な説明】
【技術分野】
【０００１】
本発明は、送電線を鉄塔に引き留める引留クランプの取付けに係り、より詳しくは、送電線を把持した楔形引留クランプを鉄塔に引き留めるための、作業性、安全性、及び保全性に富んだ楔形引留クランプ取付け緊線金具に関する。
【背景技術】
【０００２】
図３は、従来の楔形引留クランプ取付け緊線金具の構成図である。図３ａ、ｂにおいて、緊線金具２００の一対の板状の緊線金具本体６０の湾曲側の端部にはボルト６５が挿入されてナット６６により固定され、他方の端部には、ボルト６７が挿入されてナット６８により固定されている。また、一対の板状の緊線金具本体６０の中央部には、緊線金具本体６０の落下を防止するための落下防止金具７０をそれぞれ有している。楔形引留クランプの取付け作業においては、緊線金具２００は、図３ａ、ｂの組立状態で提供される。
【０００３】
図４は、従来の緊線金具による楔形引留クランプ取付け図である。図４において、送電線５０を把持した楔形引留クランプ３０を鉄塔に引き留めるため、楔形引留クランプ３０には緊線金具２００が取付けられ、矢印方向に牽引されて、連結板４０に鉄塔側の碍子連（図示せず）が取付けられる。
【０００４】
この場合、図３ａ、ｂの組立状態で提供された緊線金具２００は、一対の板状の緊線金具本体６０の隙間が楔形引留クランプ３０の厚さより小さいため、図３ｃに示されるように、一旦ボルト６５からナット６６を、ボルト６７からナット６８をそれぞれ取り外して解体し、楔形引留クランプ３０に組付けた後、再び固定する必要があった。
【０００５】
このように、楔形引留クランプ２００の取付け作業において、緊線金具２００は一度解体されて、楔形引留クランプ２００に再度組み付けられるため、施工性に問題があった。また作業は鉄塔上近傍で行われるため、ボルト、ナット類の落下による事故の発生という問題があった。また、一対の板状の緊線金具本体６０と楔形引留クランプ２００との表面は金属のままであるため、矢印方向に牽引される際、楔形引留クランプ２００の表面が傷つき、表面の劣化を早めるという問題があった。
【発明の概要】
【発明が解決しようとする課題】
【０００６】
本発明は、このような問題を解決するためになされたものであり、その目的は、送電線を把持した楔形引留クランプを鉄塔に引き留めるための、作業性、安全性、及び保全性に富んだ楔形引留クランプ取付け緊線金具を提供する。
【課題を解決するための手段】
【０００７】
本発明の楔形引留クランプ取付け緊線金具は、送電線を把持した楔形引留クランプを鉄塔に引き留めるための楔形引留クランプ取付け緊線金具であって、一対の板状の緊線金具本体の一端側は、湾曲部をそれぞれ有して湾曲部の先端部は互いに近接し、先端部は、片側が開放されたＵ字形の穴をそれぞれ有し、Ｕ字形の穴には第１のボルトが通され、第１のボルトの頭部は一方のＵ字形の穴の部分に溶接され、他方のＵ字形の穴の部分の第１のボルトにナットが捩じ込まれ、第１のボルトのねじの先端部はカシメられたカシメ部を有し、本体の他端側の先端部は、ボルト貫通穴をそれぞれ有し、ボルト貫通穴に第２のボルトが通され、第２ボルトにナットが捩じ込まれ、ナットが捩じ込まれた第２のボルトのねじの先端部が有するピン孔には、ナット脱落防止ピンが挿入され、Ｕ字形の穴とボルト貫通穴とに挟まれる本体の板状の表面は、保護部材で覆われていることを特徴とする。
【発明の効果】
【０００８】
本発明によれば、送電線を把持した楔形引留クランプを鉄塔に引き留めるための、作業性、安全性、及び保全性に富んだ楔形引留クランプ取付け緊線金具を提供することができる。
【図面の簡単な説明】
【０００９】
【図１】本発明による楔形引留クランプ取付け緊線金具の構成図。
【図２】本発明の緊線金具による楔形引留クランプ取付け図。
【図３】従来の楔形引留クランプ取付け緊線金具の構成図。
【図４】従来の緊線金具による楔形引留クランプ取付け図。
【発明を実施するための形態】
【実施例】
【００１０】
本発明の実施の形態について、図を用いて説明する。図１は、本発明による楔形引留クランプ取付け緊線金具の構成図である。図１ａ、ｂにおいて、本発明の緊線金具１００の一対の板状の緊線金具本体１０の一端側は、湾曲部１１をそれぞれ有し、湾曲部１１の先端部１２は互いに重なり合う程に近接している。
【００１１】
先端部１１は、片側が開放されたＵ字形の穴１３をそれぞれ有し、Ｕ字形の穴１３には第１のボルト１４が通され、第１のボルト１４の頭部１８は溶接部１６において一方のＵ字形の穴の部分に溶接されている。また、他方のＵ字形の穴１３の部分の第１のボルト１４にナット１７が捩じ込まれ、第１のボルト１４のねじの先端部はカシメられたカシメ部１８を有し、ナット１７が抜け落ちるのを防止している。
【００１２】
緊線金具本体１０の他端側の先端部は、ボルト貫通穴１９をそれぞれ有し、ボルト貫通穴１９に第２のボルト２０が通され、第２ボルト２０にナット２１が捩じ込まれ、ナット２１が捩じ込まれた第２のボルト２０のねじの先端部が有するピン穴２２には、ナット脱落防止ピン２３が挿入され、ナット２１が抜け落ちるのを防止している。また、Ｕ字形の穴１３とボルト貫通穴１９とに挟まれる本体１０の板状の表面は、保護部材２５で覆われている。また、一対の板状の緊線金具本体１０の中央部には、緊線金具本体１０の落下を防止するための落下防止金具２５をそれぞれ有している。
【００１３】
図２は、本発明の緊線金具による楔形引留クランプ取付け図である。図２において、図４の場合と同様に、送電線５０を把持した楔形引留クランプ３０を鉄塔に引き留めるため、楔形引留クランプ３０には緊線金具１００が取付けられ、矢印方向に牽引されて、連結板４０に鉄塔側の碍子連が取付けられて、引き留めが完了する。
【００１４】
この場合、一対の板状の緊線金具本体１０の隙間は、楔形引留クランプ３０の厚さをカバーする程度に十分広いため、第１のボルト１４のナット１７を緩め、溶接部１６の無い方の緊線金具本体１０をＵ字形の穴１３を介して第１のボルト１４から取り外すことで、楔形引留クランプ３０に取付けることができる。
【００１５】
このように、緊線金具１００は従来の場合にように解体することなく取付けが可能となり、施工性が改善される。また、第１のボルト１４は一方の緊線金具本体１０に溶接されているため、取付け時に抜け落ちることは無く、第１のボルト１４のねじの先端部はカシメ部１８を有しているため、ナット１７を所定の量だけ緩めても、抜け落ちることは無い。このため、ボルト、ナット類の落下による事故の発生を解消できる。さらに、Ｕ字形の穴１３とボルト貫通穴１９とに挟まれる本体１０の板状の表面は、保護部材２５で覆われているため、矢印方向に牽引される際、楔形引留クランプ２００の表面が傷つき、表面の劣化を早めるという問題を解消することができる。
【００１６】
このように、送電線を把持した楔形引留クランプを鉄塔に引き留めるための、作業性、安全性、及び保全性に富んだ楔形引留クランプ取付け緊線金具を提供することができる。
【符号の説明】
【００１７】
１０  緊線金具本体
１１  湾曲部
１２  先端部
１３  Ｕ字形の穴
１４  第１のボルト
１５  頭部
１６  溶接部
１７  ナット
１８  カシメ部
１９  ボルト貫通穴
２０  第１のボルト
２１  ナット
２２  ピン穴
２３  ナット脱落防止ピン
２４  保護部材
２５  落下防止金具
３０  楔形引留クランプ
４０  連結板
５０  送電線
６０  緊線金具本体
６５  ボルト
６６  ナット
６７  ボルト
６８  ナット
７０  落下防止金具
１００  本発明の緊線金具
２００  従来の緊線金具
【図１】
2014054140.tif 000003
【図２】
2014054140.tif 000004
【図３】
2014054140.tif 000005
【図４】
2014054140.tif 000006